(57)【要約】      （修正有）【課題】注出口部におけるシートに膨らみ部を設けて内容物の注出時にその膨らみ部の内側が内容物の通路となる有用性を活かすために、膨らみ部の潰れを生じ難くして、内容物の注出が容易な包装容器を提供する。【解決手段】注出口部８における正面シート２と背面シート３との少なくとも一方に、容器外方に向けて凸となる膨らみ部９を設け、膨らみ部９の周縁１２の内、少なくとも注出口部８の内容物注出方向下流側の位置と内容物注出方向上流側の位置とに、容器内方に向けて凸となる凹溝１３を設けた。【選択図】図１
2010228770.tif 000002
【特許請求の範囲】
【請求項１】
正面シートと背面シートとの対向する周辺をヒートシールした容器の上部側に、前記正面シートと背面シートとを重ね合わせてなる注出口部を有する液体用包装容器において、
前記注出口部における正面シートと背面シートとの少なくとも一方に、容器外方に向けて凸となる膨らみ部が設けられていて、該膨らみ部の周縁の内、少なくとも注出口部の内容物注出方向下流側の位置と内容物注出方向上流側の位置とに、容器内方に向けて凸となる凹溝が設けられていることを特徴とする包装容器。
【請求項２】
上記凹溝は、膨らみ部の周縁全周に亘って設けられている請求項１に記載の包装容器。
【請求項３】
上記注出口部は、容器上部の一隅に位置している請求項１または２に記載の包装容器。
【請求項４】
上記注出口部には、易開封性手段が設けられている請求項１から３の何れか一項に記載の包装容器。
【請求項５】
容器下部側における正面シートと背面シートとの間に底面シートが折り入れられた状態で配置されており、前記底面シートを開く容器底部の拡開により自立可能に設けられている請求項１から４の何れか一項に記載の包装容器。
【発明の詳細な説明】
【技術分野】
【０００１】
本発明は、シートの貼り合わせにより形成されていて、液体などの流動性を有する内容物を密封収納する包装容器に関するものである。
【背景技術】
【０００２】
従来から、合成樹脂製などからなるボトルタイプの容器においては、収容物を使いきった後の空容器がゴミの増大や環境破壊を招き易いという点が問題となっている。このような状況から近年、一般家庭での使用量が大きい台所用液体洗剤、洗濯用洗剤、柔軟剤、漂白剤、そして浴用のシャンプー、リンス、ボディーソープなどの商品に対しては、詰め替え用として環境への影響を考慮した素材を選択した容器であって嵩張り難い形状の包装容器を用いて提供されていて、必要時にボトル容器に収容物を移し入れることができるようにしている。
詰め換え用の包装容器の一つとして、合成樹脂製とした正面シートと背面シートとを重ね合わせて周辺をヒートシールにより貼り合わせた包装容器があり、必要時に開封した部分をボトル容器などの口部にあてがって内容物をそのボトル容器などに移し替えるようにしている。
そして、液状などの流動性を有する内容物を密封包装した詰め替え用のこの包装容器には、自立性があって立体容器となるスタンディングパウチの形態とした容器が多くあり、また、開封時に内容物を外にこぼすことなく他の容器に完全に移し替えられるように注出口部を有していて、その注出口部の形態を、容器上部の一部に幅を狭くして正面シートと背面シートの重ね合わせ部分として設けたものや、容器上部の周辺のヒートシール時に、貼り合わせるシート周辺の間にプラスチック成型物などによる別体の注出口具を挟み込んで熱接着して取り付けて、これを注出口部としたものもあった。
【０００３】
上記包装容器において、内容物の注出に際して容器上部の一隅を単純に斜めに切断することで注ぎ出しを可能にした注出口を得る詰め替え用の容器がある。このタイプの容器では、容器上部の一部を切り取って注出口を形成する前記方法が開封方法としては簡便であるが、収容空間の一部を単に切って注出口をしただけであり、容器を傾けたときに内容物が注出口側に移動する流れを制御しながら案内する構成とはならないため、その容器を移し替えの際に傾けると内容物が一度に注出口側に向けて移動してしまう。よって、注出口辺りで整えられた流れが生じないことからその内容物の注出が安定し難く、移し替えの容易性の点で問題があり、そして、一度に集まった内容物が注出口を押し開いて流れ出ようとするため、その注出口からの内容物の流れが定まった方向とならずにボトル容器などの口部を外れた方向に向けて流れ出ることもあり、安定した内容物の注ぎ出しを確保できないという安定性の点での問題もあった。
【０００４】
また、プラスチック成型物による注出口具を容器上部の辺部の間に配置して形成された注出口部を備える包装容器では、包装容器の製造に際して注出口具を配置する工程が加わって製造装置が複雑になり、そのため生産速度が低下してしまうという問題が生じる。さらに、別体の注出口具を取り付けた内容物充填前の包装容器は、単にシートを重ね合わせた包装容器のものに比べて厚さが増しているため、その注出口具付きの充填前包装容器を多くに保管管理しなければならない部署ではその保管や運搬の費用が割高になるという問題もある。
【０００５】
また、上述した容器上部の一部に幅を狭くして正面シートと背面シートの重ね合わせ部分からなる注出口部を備える包装容器でも、内容物を他のボトル容器などに移し替える際の操作性、安定性はある程度は改善できるものであったが、その注出口部での正面シートと背面シートとが接合し易いために、開封されても注出口部自体の開きの保持性が劣っていて、ボトル容器などの口部への差し込みや注出の際に不便であり、移し替えの容易性の点で問題があった。
【０００６】
このように、正面シートと背面シートの重ね合わせ部分からなる注出口部を容器上部に備える包装容器には、内容物を注出する時の操作性や安定性がある程度確保できるという有用な点があることから、開封した注出口部から内容物を注出するときにその注出口部の開きを確保する目的として、注出口部における正面シートと背面シートとのそれぞれに、容器外方に向けて凸となる膨らみ部をエンボス加工にて設け、内容物が流れ易い通路をその両シートの膨らみ部が相対している部分で形成する工夫が提案されている（例えば、特許文献１、特許文献２、特許文献３参照）。
【先行技術文献】
【特許文献】
【０００７】
【特許文献１】特許第３６３４５７６号公報
【特許文献２】特許第４１２１６４８号公報
【特許文献３】特開２００８−１３３００３号公報
【発明の概要】
【発明が解決しようとする課題】
【０００８】
上述した包装容器の注出口部のシートに設ける膨らみ部は、その膨らみ部の形が大きいほど開封後の内容物の流れが良好になると考えられる。しかしながら、その膨らみ部の形状が大きいほど、充填前の空状態の包装容器を集積して運搬するときには膨らみ部が潰れてしまい、その状態のまま内容物が充填され、商品として流通し、購入した一般消費者が包装容器の注出口部を切断したときにも膨らみ部が潰れていると、内容物の注出時に流れ易い通路を確保する機能、すなわち開口を維持する機能が減少してしまうという問題があった。
そこで本発明は上記事情に鑑み、注出口部におけるシートに膨らみ部を設けて内容物の注出時にその膨らみ部の内側が内容物の通路となる有用性を活かすために、膨らみ部の潰れを生じ難くすることを課題とし、内容物の注出が容易な包装容器を提供することを目的とするものである。
【課題を解決するための手段】
【０００９】
（請求項１に係る発明）
本発明は上記課題を考慮してなされたもので、正面シートと背面シートとの対向する周辺をヒートシールした容器の上部側に、前記正面シートと背面シートとを重ね合わせてなる注出口部を有する液体用包装容器において、前記注出口部における正面シートと背面シートとの少なくとも一方に、容器外方に向けて凸となる膨らみ部が設けられていて、該膨らみ部の周縁の内、少なくとも注出口部の内容物注出方向下流側の位置と内容物注出方向上流側の位置とに、容器内方に向けて凸となる凹溝が設けられていることを特徴とする包装容器を提供して、上記課題を解消するものである。
【００１０】
（請求項２に係る発明）
本発明において、上記凹溝は、膨らみ部の周縁全周に亘って設けられているものとすることが良好である。
【００１１】
（請求項３に係る発明）
また、本発明において、上記注出口部は、容器上部の一隅に位置しているものであることが良好である。
【００１２】
（請求項４に係る発明）
また、本発明において、上記注出口部には、易開封性手段が設けられているものとすることが良好である。
【００１３】
（請求項５に係る発明）
また、本発明において、容器下部側における正面シートと背面シートとの間に底面シートが折り入れられた状態で配置されており、前記底面シートを開く容器底部の拡開により自立可能に設けられていることが可能である。
【発明の効果】
【００１４】
（請求項１の発明の効果）
本発明によれば、膨らみ部の周縁の内、少なくとも注出口部の内容物注出方向下流側の位置と内容物注出方向上流側の位置とに、容器内方に向けて凸となる凹溝が設けられているので、膨らみ部において凹溝の位置を周縁としている部分がその凹溝からなる折り返しを一体に有した構造となって強度が高められ、そして、強度が高められた部分が対向していることから、膨らみ部全体としても強度が高められており、複数の包装容器が積み重ねられた場合でも膨らみ部の潰れや折れ曲がりなどの変形が防止され、未充填容器の輸送中に膨らみ部が潰れるという不具合を解消できる。さらに、膨らみ部の強度が高められているため、その膨らみ部自体にある程度の形状復元性が生じるようになって、仮に未充填の包装容器の時に膨らみ部が変形した場合であっても、包装容器が一つずつとなって膨らみ部が外力が加わらなくなればその膨らみ部が元形状に復元するようになり、開封して内容物の注出の際には、所定通りの内容物の注出が行えるようになる。
【００１５】
そして、膨らみ部を横断する位置で注出口部を切断すれば、その切断箇所は開封した直後に膨らみ部とその膨らみ部が相対する部分との間に通路を有した状態で形成されることとなる。すなわち、常時、開いた通路が存在する注出口部が得られることとなり、使用者はその開口を目視しながらボトル容器などの口部に注出口部を対応させ易く、よって、使用者は安心して容易に注出口部の先をボトル容器などの口部にあてがうことができる。また、膨らみ部を横断しない注出口部の最先端側で切断を行なった場合でも、膨らみ部による通路がすでに形成されているので、内容物の注出に不具合を生じさせることもない。さらに、注出口部での両シートが全面的に密着することがないので、開封後、スムーズに内容物が注出されて詰め替え作業が容易になるなどの効果を奏する。
【００１６】
（請求項２の発明の効果）
また、本発明において、凹溝は膨らみ部の周縁全周に亘って設けられているものとすることで、膨らみ部全体の強度が向上するという効果がある。
【００１７】
（請求項３の発明の効果）
また、本発明において、注出口部は、容器上部の一隅に位置しているものとすることで、使用者側に注出口部の位置がどこであるかを簡単に明示することが簡単になる。
【００１８】
（請求項４の発明の効果）
また、本発明において、注出口部に易開封性手段が設けられているものとすることで、詰め替えを行おうとする使用者が包装容器の注出口部を切断する際に、その切断操作が簡単になるととに、使用者側の切断操作の上手下手によらずに切断箇所を特定させることができるようになる。
【００１９】
（請求項５の発明の効果）
また、本発明において、容器下部側における正面シートと背面シートとの間に底面シートが折り入れられた状態とし、底面シートを開く容器底部の拡開により自立可能に設けられているものとすることで、内容物が充填された包装容器を縦置きできて、店舗での陳列販売を行なうに際して一体ずつの商品が占める面積が小さくなり、数多くの包装容器を並べることができるとともに、一般購入者側も詰め替え用の包装容器の取り扱いが容易になるなどの優れた効果をするものである。
【図面の簡単な説明】
【００２０】
【図１】本発明に係る包装容器の一例を示す説明図である。
【図２】一例における注出口部の膨らまし部を示す説明図である。
【図３】一例における膨らまし部を断面で示す説明図である。
【図４】膨らまし部と凹溝のエンボス形成を示す説明図である。
【図５】注出口部における開口位置を異ならせた三例を示す説明図である。
【図６】他の例における膨らまし部を示す説明図である。
【発明を実施するための形態】
【００２１】
つぎに本発明を図１から図６に示す実施の形態に基づいて詳細に説明する。
図中１はシャンプーなどの流体を収容する包装容器で、該包装容器１は正面シート２と背面シート３とを重ね合わせるとともに、容器底部４側には前記正面シート２と背面シート３との間に底面シート５を折り入れて、この重ね合わせで正面シート２と背面シート３との対向する辺部同士、正面シート２と底面シート５との対向する辺部同士、背面シート３と底面シート５との対向する辺部同士をヒートシールし、折り入れられている底面シート５の中央部分を開くように正面シート２と背面シート３との間を開くことで広がった容器底部４によって縦置きできるスタンディングパウチタイプの容器である。図１は包装容器１を正面シート２側から見た状態が示されているとともに、この図示された包装容器１は内容物が未充填のものであり、正面シート２と背面シート３との対向する上辺同士の一部分ではシールされずに充填部分６として開放されていて、この包装容器１は容器上部７の一部に前記充填部分６を有しているものである。
【００２２】
包装容器１は容器上部７の一隅であって、上記充填部分６の横に、上方に向けてくちばし状に突出した注出口部８が設けられている。前記注出口部８は正面シート２と背面シート３とを重ね合わせてなるものであり、注出口部８の部分における正面シート２と背面シート３とのそれぞれには、エンボス加工によって容器外方に向けて凸となる膨らみ部９が重なるように同位置にして設けられている。そして、注出口部８の上記充填部分６側の側辺部８ａと容器側部１０に連続する側辺部８ｂとの中央をこの注出口部８の突出側に向けて進む方向を、内容物の注出方向Ａとされ、側辺部８ａ，８ｂの間の中央となる位置に両シート２，３の前記膨らみ部９があり、略長円状にしてその長手方向を前記注出方向Ａに沿うようにして配置されている。
【００２３】
注出口部８の先端側での側辺部８ｂには切り欠きやスリットからなる易開封手段１１があり、注出口部８の先端側をつまみ持ちながらこの易開封手段１１から引き裂くようにすることで、易開封手段１１を始端として裂け目が進み易くなるように設けられていて、注出口部８を切断する開封の操作が手作業で簡単に行えるようにしている。
【００２４】
本実施の包装容器１には、容器内方に向けて凸となる断面形状を呈する凹溝１３が上記膨らみ部９の周縁１２の全周に亘って設けられている。この凹溝１３は、包装容器１の製造工程中に設けられるものであって、本実施の例の包装容器の製造工程の一例が図４に示されており、この図４で示す例に基づいて説明すれば、正面シート２用の連続シート２ａと背面シート３用の連続シート３ａとのそれぞれに一定間隔にして膨らみ部９を形成して、連続シート２ａと連続シート３ａとを重ね合わせる工程中、前記膨らみ部９のエンボス加工と同時に成型されている。
膨らみ部９の成型用金型である雄型１４と雌型１５と内、雄型１４の押し出し凸部１４ａの全周に溝部１４ｂがあり、そして、雌型１５の前記雄型１４の押し出し凸部１４ａに対応する受け凹部１５ａの周囲に、前記溝部１４ｂに入るようにした凸部１５ｂがあって、成型用金型が型締めされることで凸部１５ｂがシートを溝部１４ｂに押し入れるように設けられており、これによって膨らみ部９と凹溝１３とがエンボス加工によって同時に成型される。
なお、この後に続く包装容器の製造に際しては公知の手法を採用することができるものであり、両連続シート２ａ，３ａとを重ね合わせ、また図示されていない底面シート用の連続シートを連続シート２ａ，３ａの間に折り入れた状態にし、所定箇所をヒートシールしながら包装容器形状に打ち抜くことで、未充填の包装容器１が得られる。
【００２５】
本発明に係る包装容器１では、上述したように注出口部８における正面シート２と背面シート３とのそれぞれの膨らみ部９の周縁の全周に亘って、容器内方に向けて凸の溝状とした断面形状の凹溝１３を設けていて、正面シート２での膨らみ部９の長手方向に直交する方向での断面である図３に示されているように、膨らみ部９の外周部分である周壁１６が前記凹溝１３に一体となって、その周壁１６がその凹溝１３の部分を経てから膨らみ部９の周りの正面シート２のエンボス非加工領域である一般面部１７に連続しており、周壁１６の一般面部１７に亘るまでの領域中に凹溝１３が折り返し部分として形成されている構造となっている。
このように周壁１６自体に折り返し部分である凹溝１３を設け、その凹溝１３とされた折り返し部分を直接、前記一般面部１７に連続させており、周壁１６が溝状の折り返し部分を有していることから、周壁１６自体に包装容器の厚さ方向から加わる外力に対する強度が高められたものとなっている。よって膨らみ部９自体も包装容器の厚さ方向から加わる外力に対する強度が高まっている。
【００２６】
そして、上記凹溝１３は容器内方に向けて凸となり、この凹溝１３の底部１８が一般面部１７の位置を間にして膨らみ部９の頂部側とは反対側に位置しているため、周壁１６の前記凹溝１３の底部位置までに達する領域ａの長さが長く確保し易く、また、折り返し点である前記底部位置から一般面部１７までに達するまでの領域ｂの長さも長く確保できて、これら凹溝１３の側面部分を構成する領域ａ，ｂそれぞれの長さを長く確保することで、これら領域ａ，ｂ、すなわち凹溝１３の側面部分を容器厚さ方向Bに沿うように起こす形状とすることが容易になる。そして、凹溝１３の側面部分を構成するこれら領域ａ，ｂの断面形状が容器厚さ方向Bに沿う度合いが強くなることでも、凹溝１３での強度が高まって周壁１６の強度が高められ、よって膨らみ部９がより一層変形し難くなり、仮に変形したとしてもその容易に元の形状に復元し易くなる。
【００２７】
成型用金型の上記雄型１４と雌型１５とを用いた膨らみ部９とこの膨らみ部９の周壁１６と一体となる凹溝１３の形成に際しては、連続シートを予熱した後、雄型１４と雌型１５を用いて加圧状態で挟み込みしてエンボス形成していて、連続シートにおいてその連続シートのシーラントが設けられている側に凹溝１３が凸となって突出するようにして膨らみ部９と凹溝１３とをエンボス形成し、この連続シート（正面シート、背面シート）、そして、底面シート用の連続シートも用いて包装容器を製造する。包装容器での前記膨らみ部自体の復元性は、前記シーラントの厚さ、膨らみ部の形状、膨らみ部の位置によって変化するが、後述するように、両シートに膨らみ部があるとともにその周縁に一体にして凹溝を設けている本実施の例による包装容器と、両シートに膨らみ部があるが凹溝を設けていない包装容器を比較したところ、本実施の例の形態の包装容器の方が、注出口部の開封時の開口幅が大きく、膨らみ部の復元性も良好であることが確認できた。
【００２８】
この良好な効果をさらに増大させるには、凹溝１３の溝幅を細くすることが効果的であり、また、凹溝を深くすることが効果的であり、さらに、凹溝の断面形状が例えばＶ字状になるように、その凹溝の落とし込みの断面形状に鋭さを強めることが効果的である。なお、凹溝の落とし込みの形状に鋭さを強めすぎると、エンボス成型時にシートが破れたり、シートにピンホールが生じる可能性がある。そのため、安定した生産を行なうためには、シートの厚さや構成に応じて上記成型用金型を選択する。たとえば、雌型１５の凸部１５ｂの幅は、０．５ｍｍから３．０ｍｍ程度、その高さは１ｍｍから３ｍｍ程度で、凸部の上端は凸部幅に合わせてＲ＝０．５ｍｍから３．０ｍｍ程度の曲率半径とし、雌型１５の凸部１５ｂと雄型１４の溝部１４ｂとのシート挟み込み時のクリアランスをシートの厚さ以上とすることが望ましい。
【００２９】
つぎに、膨らみ部の周縁全周に上記周壁と一体となる凹溝を設けている上記実施の例による包装容器と、注出口部に膨らみ部のみを設けている包装容器とについて、モニター詰め替え評価を行ない、本実施の形態による包装容器に良好に詰め替えが行えるか否かを検討した。その結果を表１に示した。
評価サンプルは、前述したように膨らみ部のみが設けられていて凹溝がない包装容器（表中、周縁凹溝なし）と、膨らみ部の周縁全周に凹溝が設けられている本実施の形態の包装容器（表中、周縁凹溝あり）であり、内容物はコンディショナー４００ｇである。モニター詰め替え評価は、５段階評価１（劣）→５（優）である。サンプル数ｎは各ｎ＝３である。
【００３０】
【表１】
2010228770.tif 000003
【００３１】
表１の結果から、膨らみ部の周縁に凹溝を設けることで、注ぎ性の効果が認められた。また、口元（注出口部）が開封し易いので、差し込み性も向上していることが認められた。
【００３２】
つぎに、本実施の形態における包装容器での注出口部を開封して形成される開口位置について、図５に示すように三位置に開口させたサンプルを作成しそれぞれの評価を、モニター評価した。内容物はコンディショナー４００ｇである。モニター評価は、５段階評価１（劣）→５（優）である。その結果を表２に示した。
サンプル数ｎは各ｎ＝３であり、（１）のものは、エンボス部（膨らみ部）の上（内容物注出方向下流側）から３ｍｍを通る位置で切断し、（２）のものは、エンボス部の上縁を通る位置で切断し、（３）のものは、エンボス部の内容物注出方向下流側の前方３ｍｍを通る位置で切断したものである。
【００３３】
【表２】
2010228770.tif 000004
【００３４】
膨らみ部（エンボス部）に開口部がある（開口部を得るようにする開口位置が膨らみ部に交差する形態である）と、開口部を切断して得るときに表裏二股に切れてしまうが、注ぎ性が向上していることが確認できた。開口部が膨らみ部の上縁にあれば、注ぎ性は膨らみ部の位置に開口部があるものとほとんど変わらないことが確認できた。この結果から、注出口部を切断するに際しては、膨らみ部の上縁を通る位置や膨らみ部を切断することが良好であることが分かった。このように表２の結果より、膨らみ部（エンボス部）の位置に、切断よりなる開口部があると、その開口幅が広くなっており、即ち、切断された注出口部での正面シートと背面シートとが従来のような互いに貼り付いた状態とはならずに、その正面シートと背面シートとが離れた状態となることで広い開口幅が得られていて、差し込み性、注ぎ性が向上することが分かる。なお、開口部の切れ易さの観点から見れば、膨らみ部の上縁を通る位置が開口位置となるのが最も好ましいことが分かった。
【００３５】
なお、上記実施の例の包装容器は、注出口部の正面シートと背面シートとの両方に膨らみ部と凹溝を設けたものであるが、本発明はこの実施の例に限定されるものではなく、注出口部における正面シートと背面シートとの少なくとも一方に、凹溝を備えた膨らみ部が位置するものであればよい。また、凹溝は膨らみ部の周縁の全周にあるものに限定されず、図６に示すように、少なくとも注出口部８の内容物注出方向下流側の位置と内容物注出方向上流側の位置とにあればよい。
【符号の説明】
【００３６】
１…包装容器
２…正面シート
３…背面シート
７…容器上部
８…注出口部
８ａ…充填部分側の側辺部
８ｂ…容器側部側の側辺部
９…膨らみ部
１１…易開封手段
１２…膨らみ部９の周縁
１３…凹溝
ａ，ｂ…凹溝の側面部分
１４…雄型
１４ａ…押し出し部
１４ｂ…溝部
１５…雌型
１５ａ…受け凹部
１５ｂ…凸部
１６…周壁
１７…一般面部
１８…凹溝１３の底部
Ａ…注出方向
Ｂ…容器厚さ方向
【図１】
2010228770.tif 000005
【図２】
2010228770.tif 000006
【図３】
2010228770.tif 000007
【図４】
2010228770.tif 000008
【図５】
2010228770.tif 000009
【図６】
2010228770.tif 000010